(57)【要約】【課題】内部の清掃を容易に行うことができるペット用トイレを提供する。【解決手段】便床トレイ１１の上部を覆うフード１２を、後部を構成するフード本体１３と、前部を構成する前蓋部１４との二部材で構成し、フード本体１３を不透明な白色の合成樹脂で、前蓋部１４を半透明の合成樹脂で形成する。前蓋部１４から後方へ向けて支持バー２１を延出し、支持バー２１の両側面に軸部２２を設ける。軸部２２を、フード本体１３上面の支持壁間に挟持した状態で回動自在に支持し、前蓋部１４をフード本体１３に回動自在に軸支する。このヒンジ構造により、前蓋部１４は、便床トレイ１１の上部空間を閉鎖した閉鎖状態と、軸部２２を回転中心としてフード１３前面部分を上方へ回動し、便床トレイ１１の上部空間を開放した開放状態とを選択的に形成可能とする。【選択図】　　　　　図２
2004121147.tif 000002
【特許請求の範囲】
【請求項１】
底部を構成する便床トレイが上部を構成するフードで覆われたペット用トイレにおいて、
前記フードを、前記便床トレイに固定されるフード本体と、該フード本体に回動自在に支持され前記便床トレイの上部空間を閉鎖した閉鎖状態及び開放した開放状態を選択的に形成する蓋部との二部材で構成したことを特徴とするペット用トイレ。
【請求項２】
前記フード本体を不透明に設定する一方、前記蓋部を半透明に設定したことを特徴とする請求項１記載のペット用トイレ。
【請求項３】
底部を構成する便床トレイが上部を構成するフードで覆われたペット用トイレにおいて、
前記フードを、前記便床トレイに固定されるフード本体と、前記便床トレイ又は前記フード本体に回動自在に支持され前記便床トレイの上部空間を閉鎖した閉鎖状態及び前方に回動して開放した開放状態を選択的に形成する蓋部との二部材で構成したことを特徴とするペット用トイレ。
【請求項４】
前記フード本体を不透明に設定する一方、前記蓋部を半透明に設定したことを特徴とする請求項３記載のペット用トイレ。
【発明の詳細な説明】
【０００１】
【発明の属する技術分野】
本発明は、猫などのペットが排泄物を排出するペット用トイレに関する。
【０００２】
【従来の技術】
従来、室内で飼育するペットの排泄物を処理する際には、ペット用トイレが使用されていた（例えば、特許文献１及び特許文献２参照。）。
【０００３】
このペット用トイレは、便床トレイと、該便床トレイの上部を覆うフードからなり、該フードには、当該ペット用トイレ内への出入口が設けられている。前記便床トレイは、容器状に形成されており、排泄物を固めるペット用砂を収容できるように構成されている。
【０００４】
【特許文献１】
登録実用新案第３０６９７８８号公報（段落番号「００１６」及び図１）
【０００５】
【特許文献２】
登録実用新案第３０６９７８９号公報（段落番号「００１９」及び図１）
【０００６】
【発明が解決しようとする課題】
しかしながら、このようなペット用トイレにあっては、便床トレイ内にて固化された排泄物を取り出す場合、出入口から手を入れて行うか、バックルで便床トレイに固定されたフードを取り外すしか方法が無かった。
【０００７】
このため、清掃時には、苦労を要するという問題があった。
【０００８】
本発明は、このような従来の課題に鑑みてなされたものであり、内部の清掃を容易に行うことができるペット用トイレを提供することを目的とするものである。
【０００９】
【課題を解決するための手段】
前記課題を解決するために本発明の請求項１のペット用トイレにあっては、底部を構成する便床トレイが上部を構成するフードで覆われたペット用トイレにおいて、前記フードを、前記便床トレイに固定されるフード本体と、該フード本体に回動自在に支持され前記便床トレイの上部空間を閉鎖した閉鎖状態及び開放した開放状態を選択的に形成する蓋部との二部材で構成した。
【００１０】
すなわち、フードで覆われた内部を清掃する際には、フード本体に支持された蓋部が回動され、便床トレイの上部空間を開放した開放状態が選択的に形成される。
【００１１】
そして、請求項２のペット用トイレにおいては、前記フード本体を不透明に設定する一方、前記蓋部を半透明に設定した。
【００１２】
すなわち、便床トレイに固定されたフード本体と、該フード本体に回動自在に支持された蓋部とが、異なる部材であることが容易に識別される。
【００１３】
また、本発明の請求項３のペット用トイレにあっては、底部を構成する便床トレイが上部を構成するフードで覆われたペット用トイレにおいて、前記フードを、前記便床トレイに固定されるフード本体と、前記便床トレイ又は前記フード本体に回動自在に支持され前記便床トレイの上部空間を閉鎖した閉鎖状態及び前方に回動して開放した開放状態を選択的に形成する蓋部との二部材で構成した。
【００１４】
すなわち、フードで覆われた内部を清掃する際には、フード本体に支持された蓋部が前方側に回動され、便床トレイの上部空間を開放した開放状態が選択的に形成される。
【００１５】
さらに、請求項４のペット用トイレにおいては、前記フード本体を不透明に設定する一方、前記蓋部を半透明に設定した。
【００１６】
すなわち、便床トレイに固定されたフード本体と、該フード本体に回動自在に支持された蓋部とが、異なる部材であることが容易に識別される。
【００１７】
【発明の実施の形態】
（第１の実施の形態）
【００１８】
以下、本発明の第１の実施の形態を図に従って説明する。図１は、本実施の形態にかかるペット用トイレ１を示す図であり、該ペット用トイレ１は、室内で飼育される猫などのペットの排泄物を処理する際に使用されるものである。
【００１９】
このペット用トイレ１は、合成樹脂で形成されており、底部を形成する便床トレイ１１と、該便床トレイ１１の上部を覆う上方膨出形状のフード１２とによって構成されている。前記便床トレイ１１及び前記フード１２は、共に矩形状に形成されており、前記便床トレイ１１を逆さまにした状態で、前記フード１２内に挿入できる寸法に設定されており、積み重ねてコンパクト化を図れるように構成されている。
【００２０】
このフード１２は、図２にも示すように、後部を構成するフード本体１３と、前部を構成する前蓋部１４との二部材によって構成されている。前記フード本体１３は、不透明な白色の合成樹脂で形成されており、前記前蓋部１４は、半透明の合成樹脂で形成されている。
【００２１】
この前蓋部１４の上部後縁からは、後方へ向けて延出した一対の支持バー２１，２１が一体形成されており、各支持バー２１，２１の両側面には、円柱状の軸部２２，２２が突設されている。この両軸部２２，２２は、図１にも示したように、前記フード本体１３上面に立設された一対の支持壁２３，２３に挟持された状態で回動自在に支持されており、前記前蓋部１４は、前記フード本体１３上面に回動自在に軸支されている。このヒンジ構造によって、前記前蓋部１４は、図１に示したように、前記便床トレイ１１の上部空間を閉鎖した閉鎖状態２４と、図３に示したように、前記軸部２２，２２を回転中心としてフード１３前面部分を上方へ回動し、前記便床トレイ１１の上部空間を開放した開放状態２５とを選択的に形成できるように構成されている。
【００２２】
なお、前記ヒンジ構造は、金属製の蝶番によって形成しても良い。
【００２３】
前記フード本体１３の両側部の下縁には、図１にも示したように、バックル３１，３１が設けられており、当該フード本体１３は、両側のバックル３１，３１によって前記便床トレイ１１に着脱自在に固定されている。また、前記フード本体１３の上面には、当該ペット用トイレ１を持ち運びする際に握持されるハンドル３２が設けられており、該ハンドル３２は、起立可能に傾倒されている。このハンドル３２の中心部には、図２に示したように、脱臭剤などを収容する収容凹部３３が形成されており、該収容凹部３３は、図１に示したように、閉鎖蓋３４によって開閉自在に閉鎖されている。
【００２４】
前記前蓋部１４の前面には、ペットがペット用トイレ１の内部空間４１へ出入りする為の出入口４２が開設されており、該出入口４２の上縁には、当該出入口４２を開閉自在に閉鎖する扉４３が揺動自在に支持されている。
【００２５】
前記便床トレイ１１は、図２に示したように、容器状に形成されており、前記フード１２を取り付けた状態で、前記フード本体１３の下部に位置する砂収容部５１と、前記前蓋部１４の下部に位置するボックス収納部５２とに区画されている。前記砂収容部５１には、水分を吸収して固化する粒状物としてのペット用砂５３，・・・が収容されており、前記ボックス収納部５２には、長方形状の収容ボックス５４が取り出し自在に収容されている。
【００２６】
該収容ボックス５４は、上方開口状の容器体６１と、該容器体６１の上部開口部６２を開閉自在に閉鎖する蓋体６３とからなり、該蓋体６３には、図４にも示したように、前記出入口を４２介して、当該収容ボックス５４上を通過するペットに付着した前記ペット用砂５３，・・・を前記容器体６１内へ落とすための正方形状の開口部６４，・・・が縦横に配列されている。
【００２７】
前記容器体６１の上縁中央部には、図２に示したように、前記便床トレイ１１の切欠部７１を介して、前方へ延出した後、下方へ屈曲して延在する取っ手７２が一体形成されており、該取っ手７２を握持して当該収容ボックス５４を持ち運べるように構成されている。この取っ手７２の上端部には、その中央部に矩形状切欠部７３が開設されており、前記容器体６１の上縁から前記矩形状切欠部７３内へ延出した延出片７４の先端には、円柱状の回転軸部７５が設けられている。
【００２８】
前記蓋体６３には、前記容器体６１の上部開口部６２を開放する際に操作される操作部８１が一体形成されており、該操作部８１は、前記取っ手７２に沿って延設されている。この操作部８１の基端側の裏面には、前記回転軸部７５に外嵌する下方開口状の外嵌部８２が形成されており、前記取っ手７２を握持した手の指で前記操作部８１を下方へ押圧操作した際に、前記蓋体６３の自由端部を、前記回転軸部７５を回動中心として回動し、前記上部開口部６２を開放できるように構成されている。
【００２９】
前記便床トレイ１１の前記砂収容部５１には、前記ボックス収納部５２へ向かうに従って、上方へ傾斜するガイド壁部９１が一体形成されている。該ガイド壁部９１は、前記砂収容部５１の底部９２から前記ボックス収納部５２に収納された前記収容ボックス５４の前記上部開口部６２の開口縁部へ向かうに従って湾曲した湾曲面を形成しており、このガイド壁部９１の延長上に、前記収容ボックス５４の容器体６１の開口縁部が位置するように設定されている。これにより、前記砂収容部５１内のペット用砂５３，・・・を、このガイド壁面９１に沿って掻き上げた際に、前記収容ボックス５４の容器体６１へ収容できるように構成されている。
【００３０】
そして、このペット用トイレ１は、図４に示したように、前記ペット用砂５３，・・・で固形化された排泄物を掻き寄せる為のスコップ１０１を備えている。該スコップ１０１には、縦方向に延在する複数のスリット１０２，・・・が設けられており、各スリット１０２，・・・は、前記ペット用砂５３は通過させる一方、前記ペット用砂５３で固形化された排泄物の通過は阻止する幅寸法に設定されている。
【００３１】
このスコップ１０１の背面には、係止フック１１１が一体形成されており、図４中実線で示すように、当該係止フック１１１を、前記フード本体１３の左右側縁に突設された係止片１１２に係止できるように構成されている。また、図４中破線で示すように、前記フード本体１３の上縁に設けられた係止片１１３にも係止できるように構成されている。
【００３２】
以上の構成にかかる本実施の形態において、図５に示すように、フード１２で覆われた便床トレイ１１内のペット用砂５３，・・・で固形化された排泄物１２１を排除して清掃する際には、収容ボックス５４の取っ手７２を一方の手１２２で握持するとともに、取っ手７２を握持した手１２２の親指１２３で、蓋体６３に設けられた操作部８１を下方へ押圧操作して、容器体６１の上部開口部６２を開放する。
【００３３】
この状態において、他方の手１３１でフード１２の前蓋部１４を上方へ回動して、便床トレイ１１の上部空間が開放された開放状態２５を形成する。そして、スコップ１０１を握持して前記排泄物１２１を手前側に引き寄せ、ガイド壁部９１に沿って移動する。このとき、このガイド壁部９１の延長上には、前記収容ボックス５４の容器体６１の開口縁部が配置されている。このため、前記排泄物１２１を、前記ガイド壁部９１に沿って移動するだけで、前記容器体６１内に収容することができる。
【００３４】
この清掃作業中、前記フード１２の前面部分は開放されているため、フード１２に開設された出入口４２から手１３１を入れて清掃するか、便床トレイ１１に固定されたバックル３１，３１を外してフード１３を取り除いてから清掃しなければならなかった従来と比較して、内部空間４１の清掃作業を容易に行うことができる。
【００３５】
次に、前記操作部８１から親指１２３を離し、容器体６１の上部開口部６２を蓋体６３で閉鎖し、この収容ボックス５４を、前記便床トレイ１１から取り外す。そして、この収容ボックス５４を、図６の（ａ）に示すように、トイレ１４１まで移送し、あるいは図６の（ｂ）に示すように、ゴミ箱１４２まで移送して収容された排泄物１２１を廃棄する。
【００３６】
一方、前記便床トレイ１１に固定されたフード本体１３は不透明な合成樹脂で形成され、該フード本体１３に回動自在に支持された前蓋部１４は半透明の合成樹脂で形成されており、両者１３，１４が異なる部材であることが容易に識別できるように構成されている。
【００３７】
このため、店頭販売時に陳列した状態において、便床トレイ１１に固定された前記フード本体１３と、該フード本体１３に回動自在に支持された前蓋部１４とが異なる部材であることを容易に識別することができる。
【００３８】
したがって、開閉可能な前蓋部１４をアピールすることができ、宣伝効果を高めることができる。
【００３９】
なお、本実施の形態にあっては、フード本体１３に支持された前蓋部１４を上方へ回動する場合を例に挙げて説明したが、これに限定されるものでは無く、例えば、引き戸のように、手前側に回動されるものであっても良い。
【００４０】
また、本実施の形態にあっては、フード本体１３に前蓋部１４が回動自在に支持された場合を例に挙げて説明したが、これに限定されるものでは無い。
【００４１】
【００４２】
（第２の実施の形態）
すなわち、図７に示すペット用トイレ２０１のように、便床トレイ２０２を覆うフード２０３を、前記便床トレイ２０２にバックル２０４で固定されたフード本体２０５と、前端の軸支部２０６を介して前記便床トレイ２０２に回動自在に支持された前蓋部２０６との二部材で構成しても良い。この場合、前記便床トレイ２０２の上部空間を前記前蓋部２０６で閉鎖した閉鎖状態と、該前蓋部２０６を前方側へ回動して前記便床トレイ２０２の上部空間を開放した開放状態とを選択的に形成することができる。
【００４３】
また、前記フード本体２０５を不透明な合成樹脂で形成する一方、前記前蓋部２０６を半透明な合成樹脂で形成する。
【００４４】
これによって、第１の実施の形態と同様の効果を得ることができる。
【００４５】
【００４６】
（第３の実施の形態）
また、フード本体に前蓋部が回動自在に支持された他の例としては、図８の（ａ）に示すように、フード３０１を、下部を構成するフード本体３０２と、上部を構成する上蓋部３０３との二部材で構成し、両部材３０２，３０３の後縁部を、第１の実施の形態と同様の構造からなるヒンジ３０４で回動自在に支持しても良い。
【００４７】
（第４の実施の形態）
さらに、図８の（ｂ）に示すように、フード４０１を、前方部分が切欠されたフード本体４０２と、該フード本体４０２の前方部分を構成する前方蓋部４０３との二部材で構成し、該前方蓋部４０３の後縁上部を、前記フード本体４０２の起立部４０４上端に、第１の実施の形態と同様の構造からなるヒンジ４０５を介して回動自在に支持しても良い。
【００４８】
【００４９】
（第５の実施の形態）
さらに、図８の（ｃ）に示すように、フード５０１を、後部を構成する側面視台形状のフード本体５０２と、該フード本体５０２の前方部分を構成する前方蓋部５０３との二部材で構成し、該前方蓋部５０３の後縁上部と、前記フード本体５０２の後縁上端とを、第１の実施の形態と同様の構造からなるヒンジ５０５を介して回動自在に支持しても良い。
【００５０】
この場合、前述した第３及び第４の実施の形態と比較して、フード５０１の前方部分を前記便床トレイ１１の高さ位置まで大きく開口することができるため、内部の清掃をより容易に行うことができる。
【００５１】
【発明の効果】
以上説明したように、本発明の請求項１のペット用トイレにあっては、内部清掃時に、フード本体に支持された蓋部を回動することによって、便床トレイの上部空間を開放した開放状態を選択的に形成することができる。
【００５２】
したがって、内部清掃時に、フードに開設された出入口から手を入れて行うか、便床トレイに固定されたフードを取り外して行わなければならなかった従来と比較して、内部の清掃を容易に行うことができる。
【００５３】
そして、請求項２のペット用トイレにおいては、店頭販売時に陳列した状態で、便床トレイに固定されたフード本体と、該フード本体に回動自在に支持された蓋部とが異なる部材であることを容易に識別することができる。
【００５４】
したがって、開閉可能な蓋部をアピールすることができ、宣伝効果を高めることができる。
【００５５】
また、本発明の請求項３のペット用トイレにあっても、請求項１と同様に、内部清掃時にフード本体に支持された蓋部を回動することで、便床トレイの上部空間を開放した開放状態を選択的に形成することができる。
【００５６】
したがって、内部清掃時に、フードに開設された出入口から手を入れて行うか、便床トレイに固定されたフードを取り外して行わなければならなかった従来と比較して、内部の清掃を容易に行うことができる。
【００５７】
さらに、請求項４のペット用トイレにおいても、請求項２と同様に、店頭販売時に陳列した状態で、便床トレイに固定されたフード本体と、便床トレイに回動自在に支持された蓋部とが異なる部材であることを容易に識別することができる。
【００５８】
したがって、開閉可能な蓋部をアピールすることができ、宣伝効果を高めることができる。
【図面の簡単な説明】
【図１】本発明の第１の実施の形態を示す斜視図である。
【図２】同実施の形態の断面図である。
【図３】同実施の形態の側面図である。
【図４】同実施の形態にスコップを取り付けた状態を示す斜視図である。
【図５】同実施の形態の利用形態を示す説明図である。
【図６】図５に続く利用形態を示す説明図である。
【図７】本発明の第２の実施の形態を示す斜視図である。
【図８】（ａ）は、本発明の第３の実施の形態を示す模式図で、（ｂ）は、本発明の第４の実施の形態を示す模式図であり、（ｃ）は、本発明の第５の実施の形態を示す模式図である。
【符号の説明】
１　　ペット用トイレ
１１　　便床トレイ
１２　　フード
１３　　フード本体
１４　　前蓋部
２４　　閉鎖状態
２５　　開放状態
２０１　　ペット用トイレ
２０２　　便床トレイ
２０３　　フード
２０５　　フード本体
２０６　　前蓋部
３０１　　フード
３０２　　フード本体
３０３　　上蓋部
４０１　　フード
４０２　　フード本体
４０３　　前方蓋部
【図１】
2004121147.tif 000003
【図２】
2004121147.tif 000004
【図３】
2004121147.tif 000005
【図４】
2004121147.tif 000006
【図５】
2004121147.tif 000007
【図６】
2004121147.tif 000008
【図７】
2004121147.tif 000009
【図８】
2004121147.tif 000010